(57)【特許請求の範囲】
【請求項１】
通信方法であって、
第１の端末に適用され、
前記第１の端末は、第３の端末と通信接続を維持し、
前記第３の端末はさらに、複数の第２の端末と通信接続を維持し、
前記方法は、
前記第１の端末が音声サービスの実行を開始すると決定するとき、前記第３の端末に第１のメッセージを送信する段階であって、前記第１のメッセージは、前記複数の第２の端末と前記第１の端末との間の位置関係が予め設定された条件を満たすと決定し、前記複数の第２の端末がラウドスピーカを用いてオーディオを再生している場合、前記複数の第２の端末に第２のメッセージを送信することを前記第３の端末に誘発するのに用いられ、前記第２のメッセージは、再生モードを調整することを前記複数の第２の端末に誘発するのに用いられる、段階と、
前記第１の端末が前記音声サービスの実行を停止すると決定するとき、前記第３の端末に第３のメッセージを送信する段階であって、前記第３のメッセージは、前記複数の第２の端末に第４のメッセージを送信することを前記第３の端末に誘発するのに用いられ、前記第４のメッセージは、前記再生モードを前記調整の前のものに復元することを前記複数の第２の端末に誘発するのに用いられる、段階と
前記第１の端末により位置情報を定期的に取得し、取得した前記位置情報を前記第３の端末に送信する段階と、
を備える、
通信方法。
【請求項２】
再生モードの前記調整は、
前記オーディオの再生を一時停止させること、前記ラウドスピーカをオフにすること、又は前記ラウドスピーカの出力音量を下げることを含み、
対応して、
前記再生モードを前記調整の前のものにする前記復元は、前記オーディオの再生を続けること、前記ラウドスピーカをオンにすること、又は前記ラウドスピーカの前記出力音量を前記調整の前の値に復元することを含む、
請求項１に記載の通信方法。
【請求項３】
前記第１のメッセージは、前記第１の端末の識別子と、前記第１の端末が前記音声サービスを実行することを示す識別子とを含み、又は、
前記第１のメッセージは、前記第１の端末の識別子と、前記第１の端末が前記音声サービスを実行することを示す識別子と、前記第１の端末の位置情報とを含む、
請求項１または２に記載の通信方法。
【請求項４】
通信方法であって、
第３の端末に適用され、
前記第３の端末は、少なくとも１つの第１の端末と通信接続を維持し、前記第３の端末は、複数の第２の端末と通信接続を維持し、
前記方法は、
前記第１の端末が音声サービスの実行を開始すると決定するときに送信された第１のメッセージを前記第３の端末により受信する段階と、
前記複数の第２の端末と前記第１の端末との間の位置関係が予め設定された条件を満たすことを前記第３の端末により決定し、かつ、前記複数の第２の端末がラウドスピーカを用いてオーディオを再生している場合、前記複数の第２の端末に第２のメッセージを送信する段階であって、前記第２のメッセージは、再生モードを調整することを前記複数の第２の端末に誘発するのに用いられる、段階と、
前記第１の端末が前記音声サービスの実行を停止すると決定するときに送信された第３のメッセージを前記第３の端末により受信する段階と、
前記複数の第２の端末に第４のメッセージを前記第３の端末により送信する段階であって、前記第４のメッセージは、前記再生モードを前記調整の前のものに復元することを前記複数の第２の端末に誘発するのに用いられる、段階と、
前記第３の端末が、前記第１の端末から位置情報を定期的に取得する段階と、
を備える、
通信方法。
【請求項５】
再生モードの前記調整は、
前記オーディオの再生を一時停止させること、前記ラウドスピーカをオフにすること、又は前記ラウドスピーカの出力音量を下げることを含み、
対応して、
前記再生モードを前記調整の前のものにする前記復元は、前記オーディオの再生を続けること、前記ラウドスピーカをオンにすること、又は前記ラウドスピーカの前記出力音量を前記調整の前の値に復元することを含む、
請求項４に記載の通信方法。
【請求項６】
前記方法は、
前記第１の端末により送信される位置情報を前記第３の端末により受信し、前に保存した、前記第１の端末により送信された位置情報を更新する段階、及び、
前記複数の第２の端末により送信される位置情報を前記第３の端末により受信し、前に保存した、前記複数の第２の端末により送信された位置情報を更新する段階のうちの少なくとも１つの段階
をさらに備える、
請求項４又は５に記載の通信方法。
【請求項７】
前記第１のメッセージは、前記第１の端末の識別子と、前記第１の端末が前記音声サービスを実行することを示す識別子とを含み、又は、
前記第１のメッセージは、前記第１の端末の識別子と、前記第１の端末が前記音声サービスを実行することを示す識別子と、前記第１の端末の位置情報とを含む、
請求項４から６の何れか一項に記載の通信方法。
【請求項８】
端末であって、
前記端末は、第３の端末と通信接続を維持し、前記第３の端末はさらに、複数の第２の端末と通信接続を維持し、
前記端末は、
前記端末が音声サービスを実行するか否かを決定するプロセッサと、
送信機であって、前記プロセッサが、前記端末が前記音声サービスの実行を開始すると決定するとき、前記第３の端末に第１のメッセージを送信し、前記第１のメッセージは、前記複数の第２の端末と前記端末との間の位置関係が予め設定された条件を満たすと決定し、前記複数の第２の端末がラウドスピーカを用いてオーディオを再生している場合、前記複数の第２の端末に第２のメッセージを送信することを前記第３の端末に誘発するのに用いられ、前記第２のメッセージは、再生モードを調整することを前記複数の第２の端末に誘発するのに用いられる、送信機と
を備え、
前記送信機はさらに、前記プロセッサが、前記端末が前記音声サービスの実行を停止すると決定するとき、前記第３の端末に第３のメッセージを送信し、前記第３のメッセージは、前記複数の第２の端末に第４のメッセージを送信することを前記第３の端末に誘発するのに用いられ、前記第４のメッセージは、前記再生モードを前記調整の前のものに復元することを前記複数の第２の端末に誘発するのに用いられ、
前記プロセッサはさらに、位置情報を定期的に取得し、
前記送信機はさらに、前記プロセッサにより取得した前記位置情報を前記第３の端末に送信する、
端末。
【請求項９】
再生モードの前記調整は、前記オーディオの再生を一時停止させること、前記ラウドスピーカをオフにすること、又は前記ラウドスピーカの出力音量を下げることを含み、
対応して、
前記再生モードを前記調整の前のものにする前記復元は、前記オーディオの再生を続けること、前記ラウドスピーカをオンにすること、又は前記ラウドスピーカの前記出力音量を前記調整の前の値に復元することを含む、
請求項８に記載の端末。
【請求項１０】
前記送信機により送信される前記第１のメッセージは、前記端末の識別子と、前記端末が前記音声サービスを実行することを示す識別子とを含む、又は、
前記送信機により送信される前記第１のメッセージは、前記端末の識別子と、前記端末が前記音声サービスを実行することを示す識別子と、前記端末の位置情報とを含む、
請求項８または９に記載の端末。
【請求項１１】
端末であって、
前記端末は、少なくとも１つの第１の端末と通信接続を維持し、前記端末は、複数の第２の端末と通信接続を維持し、
前記端末は、
前記第１の端末が音声サービスの実行を開始すると決定するときに送信された第１のメッセージを受信する受信機と、
プロセッサであって、前記受信機が前記第１のメッセージを受信するとき又は受信した後に、前記複数の第２の端末と前記第１の端末との間の位置関係が予め設定された条件を満たすか否か、及び、前記複数の第２の端末がラウドスピーカを用いてオーディオを再生しているか否かを決定するプロセッサと、
送信機であって、前記プロセッサが、前記複数の第２の端末と前記第１の端末との間の位置関係が予め設定された条件を満たし、かつ、前記複数の第２の端末がラウドスピーカを用いて前記オーディオを再生していると決定するとき、前記複数の第２の端末に第２のメッセージを送信し、前記第２のメッセージは、再生モードを調整することを前記複数の第２の端末に誘発するのに用いられる、送信機と、
を備え、
前記受信機はさらに、前記第１の端末が前記音声サービスの実行を停止すると決定するときに送信された第３のメッセージを受信し、
前記送信機はさらに、前記複数の第２の端末に第４のメッセージを送信し、前記第４のメッセージは、前記再生モードを前記調整の前のものに復元することを前記複数の第２の端末に誘発するのに用いられ、
前記受信機はさらに、前記第１の端末から位置情報を定期的に取得する、
端末。
【請求項１２】
再生モードの前記調整は、前記オーディオの再生を一時停止させること、前記ラウドスピーカをオフにすること、又は前記ラウドスピーカの出力音量を下げることを含み、
対応して、
前記再生モードを前記調整の前のものにする前記復元は、前記オーディオの再生を続けること、前記ラウドスピーカをオンにすること、又は前記ラウドスピーカの前記出力音量を前記調整の前の値に復元することを含む、
請求項１１に記載の端末。
【請求項１３】
前記受信機はさらに、前記第１の端末により送信される位置情報を受信し、
前記プロセッサはさらに、前記第１の端末により送信され、前記受信機により受信される前記位置情報に従って、前に保存した、前記第１の端末により送信された位置情報を更新する、又は、
前記受信機はさらに、前記複数の第２の端末により送信される位置情報を受信し、
前記プロセッサはさらに、前記複数の第２の端末により送信され、前記受信機により受信される前記位置情報に従って、前に保存した、前記複数の第２の端末により送信された位置情報を更新する、
請求項１１又は１２に記載の端末。
【請求項１４】
前記受信機により受信される前記第１のメッセージは、前記第１の端末の識別子と、前記第１の端末が前記音声サービスを実行することを示す識別子とを含む、又は、
前記受信機により受信される前記第１のメッセージは、前記第１の端末の識別子と、前記第１の端末が前記音声サービスを実行することを示す識別子と、前記第１の端末の位置情報とを含む、
請求項１１から１３の何れか一項に記載の端末。
【請求項１５】
コンピュータに請求項１から３の何れか一項に記載の方法を実行させるプログラム。
【請求項１６】
請求項１５に記載のプログラムを格納するコンピュータ可読記憶媒体。
【請求項１７】
コンピュータに請求項４から７のいずれか一項に記載の方法を実行させるプログラム。
【請求項１８】
請求項１７に記載のプログラムを格納するコンピュータ可読記憶媒体。
【発明の詳細な説明】
【技術分野】
【０００１】
本発明は、通信技術の分野に関し、特に、通信方法及び端末に関する。
【背景技術】
【０００２】
情報産業の発展に伴い、複数のマルチメディアサービスがますます普及し、これらのマルチメディアサービスの重要な部分として、複数の音声サービスがますます重要となっている。一方、複数の音声サービスにおけるノイズ干渉をいかに低減させることもますます重要となっている。
【０００３】
日常生活において、デバイスがラウドスピーカを用いてオーディオを再生している場合、このときに端末が音声サービス（例えば、音声電話サービス）を実行したとすると、この場合、デバイスにより再生されている音声が端末による音声サービスの実行を干渉してしまう。
【発明の概要】
【０００４】
本発明の複数の実施形態は、通信方法及び端末を提供し、端末が音声サービスを実行するとき、ラウドスピーカを用いてオーディオを再生している近くのデバイスに起因する干渉を回避することを実現する。
【０００５】  第１の態様によれば、通信方法が提供され、当該方法は、第１の端末に適用され、当該第１の端末は、第３の端末と通信接続を維持し、当該第３の端末はさらに、少なくとも１つの第２の端末と通信接続を維持し、当該方法は、第１の端末が音声サービスの実行を開始すると決定するとき、第３の端末に第１のメッセージを送信する段階であって、第１のメッセージは、第２の端末と第１の端末との間の位置関係が予め設定された条件を満たすと決定し、第２の端末がラウドスピーカを用いてオーディオを再生している場合、第２の端末に第２のメッセージを送信することを第３の端末に誘発するのに用いられ、第２のメッセージは、再生モードを調整することを第２の端末に誘発するのに用いられる段階と、第１の端末が音声サービスの実行を停止すると決定するとき、第３の端末に第３のメッセージを送信する段階であって、第３のメッセージは、第２の端末に第４のメッセージを送信することを第３の端末に誘発するのに用いられ、第４のメッセージは、再生モードを調整前のものに復元することを第２の端末に誘発するのに用いられる段階とを備える。
【０００６】
第１の態様に関連して、第１の態様の第１の可能な実装方式において、再生モードを調整することは、オーディオの再生を一時停止させること、ラウドスピーカをオフにすること、又はラウドスピーカの出力音量を下げることを含み、対応して、再生モードを調整前のものに復元することは、オーディオの再生を続けること、ラウドスピーカをオンにすること、又はラウドスピーカの出力音量を調整前の値に復元することを含む。
【０００７】
第１の態様又は第１の態様の第１の可能な実装方式に関連して、第１の態様の第２の可能な実装方式において、当該方法は、位置情報を第１の端末により定期的に取得し、取得した位置情報を第３の端末に送信する段階をさらに備える。
【０００８】
第１の態様又は第１の態様の２つの先述の可能な実装方式のうちの何れかの実装方式に関連して、第１の態様の第３の可能な実装方式において、第１のメッセージは、第１の端末の識別子と、第１の端末が音声サービスを実行することを示す識別子とを含み、又は、第１のメッセージは、第１の端末の識別子と、第１の端末が音声サービスを実行することを示す識別子と、第１の端末の位置情報とを含む。
【０００９】
第２の態様によれば、通信方法が提供され、当該方法は、第３の端末に適用され、当該第３の端末は、少なくとも１つの第１の端末と通信接続を維持し、当該第３の端末は、少なくとも１つの第２の端末と通信接続を維持し、当該方法は、第１の端末が音声サービスの実行を開始すると決定するときに送信された第１のメッセージを第３の端末により受信する段階と、第２の端末と第１の端末との間の位置関係が予め設定された条件を満たすことを第３の端末により決定し、かつ、第２の端末がラウドスピーカを用いてオーディオを再生している場合、第２の端末に第２のメッセージを送信する段階であって、第２のメッセージは、再生モードを調整することを第２の端末に誘発するのに用いられる段階と、第１の端末が音声サービスの実行を停止すると決定するときに送信された第３のメッセージを第３の端末により受信する段階と、第２の端末に第４のメッセージを第３の端末により送信する段階であって、第４のメッセージは、再生モードを調整前のものに復元することを第２の端末に誘発するのに用いられる段階とを備える。
【００１０】
第２の態様に関連して、第２の態様の第１の可能な実装方式において、再生モードを調整することは、オーディオの再生を一時停止させること、ラウドスピーカをオフにすること、又はラウドスピーカの出力音量を下げることを含み、対応して、再生モードを調整前のものに復元することは、オーディオの再生を続けること、ラウドスピーカをオンにすること、又はラウドスピーカの出力音量を調整前の値に復元することを含む。
【００１１】  第２の態様又は第２の態様の第１の可能な実装方式に関連して、第２の態様の第２の可能な実装方式において、当該方法は、第１の端末により送信される位置情報を第３の端末により受信し、前に保存した、第１の端末により送信された位置情報を更新する段階、及び／又は、第２の端末により送信される位置情報を第３の端末により受信し、前に保存した、第２の端末により送信された位置情報を更新する段階をさらに備える。
【００１２】
第２の態様又は第２の態様の２つの先述の可能な実装方式のうちの何れかの実装方式に関連して、第２の態様の第３の可能な実装方式において、第１のメッセージは、第１の端末の識別子と、第１の端末が音声サービスを実行することを示す識別子とを含み、又は、第１のメッセージは、第１の端末の識別子と、第１の端末が音声サービスを実行することを示す識別子と、第１の端末の位置情報とを含む。
【００１３】
第３の態様によれば、端末が提供され、当該端末は、第３の端末と通信接続を維持し、当該第３の端末はさらに、少なくとも１つの第２の端末と通信接続を維持し、当該端末は、端末自身が音声サービスを実行するか否かを決定するよう構成される決定ユニットと、第１の送信ユニットであって、決定ユニットが、端末が音声サービスの実行を開始すると決定するとき、第３の端末に第１のメッセージを送信するよう構成され、第１のメッセージは、第２の端末と端末との間の位置関係が予め設定された条件を満たすと決定することを第３の端末に誘発するのに用いられ、かつ、第２の端末がラウドスピーカを用いてオーディオを再生している場合、第２の端末に第２のメッセージを送信し、第２のメッセージは、再生モードを調整することを第２の端末に誘発するのに用いられる、第１の送信ユニットと、第２の送信ユニットであって、決定ユニットが、端末が音声サービスの実行を停止すると決定するとき、第３の端末に第３のメッセージを送信するよう構成され、第３のメッセージは、第２の端末に第４のメッセージを送信することを第３の端末に誘発するのに用いられ、第４のメッセージは、再生モードを調整前のものに復元することを第２の端末に誘発するのに用いられる、第２の送信ユニットとを備える。
【００１４】
第３の態様に関連して、第３の態様の第１の可能な実装方式において、再生モードを調整することは、オーディオの再生を一時停止させること、ラウドスピーカをオフにすること、又はラウドスピーカの出力音量を下げることを含み、対応して、再生モードを調整前のものに復元することは、オーディオの再生を続けること、ラウドスピーカをオンにすること、又はラウドスピーカの出力音量を調整前の値に復元することを含む。
【００１５】
第３の態様又は第３の態様の第１の可能な実装方式に関連して、第３の態様の第２の可能な実装方式において、当該端末は、位置情報を定期的に取得するよう構成される取得ユニットと、取得ユニットにより取得した位置情報を第３の端末に送信するよう構成される第３の送信ユニットとをさらに備える。
【００１６】
第３の態様又は第３の態様の２つの先述の可能な実装方式のうちの何れかの実装方式に関連して、第３の態様の第３の可能な実装方式において、第１の送信ユニットにより送信される第１のメッセージは、端末の識別子と、端末が音声サービスを実行することを示す識別子とを含み、又は、第１の送信ユニットにより送信される第１のメッセージは、端末の識別子と、端末が音声サービスを実行することを示す識別子と、端末の位置情報とを含む。
【００１７】
第４の態様によれば、端末が提供され、当該端末は、少なくとも１つの第１の端末と通信接続を維持し、当該端末は、少なくとも１つの第２の端末と通信接続を維持し、当該端末は、第１の端末が音声サービスの実行を開始すると決定するときに送信された第１のメッセージを受信するよう構成される第１の受信ユニットと、決定ユニットであって、第１の受信ユニットが第１のメッセージを受信するとき又は受信した後に第２の端末と第１の端末との間の位置関係が予め設定された条件を満たすか否か、及び、第２の端末がラウドスピーカを用いてオーディオを再生しているか否かを決定するよう構成される決定ユニットと、第１の送信ユニットであって、決定ユニットが第２の端末と第１の端末との間の位置関係が予め設定された条件を満たすと決定し、かつ、第２の端末がラウドスピーカを用いてオーディオを再生していると決定するとき、第２の端末に第２のメッセージを送信するよう構成され、第２のメッセージは、再生モードを調整することを第２の端末に誘発するのに用いられる、第１の送信ユニットと、第１の端末が音声サービスの実行を停止すると決定するときに送信された第３のメッセージを受信するよう構成される第２の受信ユニットと、第２の端末に第４のメッセージを送信するよう構成される第２の送信ユニットであって、第４のメッセージは、再生モードを調整前のものに復元することを第２の端末に誘発するのに用いられる、第２の送信ユニットとを備える。
【００１８】
第４の態様に関連して、第４の態様の第１の可能な実装方式において、再生モードを調整することは、オーディオの再生を一時停止させること、ラウドスピーカをオフにすること、又はラウドスピーカの出力音量を下げることを含み、対応して、再生モードを調整前のものに復元することは、オーディオの再生を続けること、ラウドスピーカをオンにすること、又はラウドスピーカの出力音量を調整前の値に復元することを含む。
【００１９】
第４の態様又は第４の態様の第１の可能な実装方式に関連して、第４の態様の第２の可能な実装方式において、端末は、第１の端末により送信される位置情報を受信し、前に保存した、第１の端末により送信された位置情報を更新するよう構成される第１の処理ユニット、及び、第２の端末により送信される位置情報を受信し、前に保存した、第２の端末により送信された位置情報を更新するよう構成される第２の処理ユニット、のうちの少なくとも１つをさらに備える。
【００２０】
第４の態様又は第４の態様の２つの先述の可能な実装方式のうちの何れかの実装方式に関連して、第４の態様の第３の可能な実装方式において、第１の受信ユニットにより受信される第１のメッセージは、第１の端末の識別子と、第１の端末が音声サービスを実行することを示す識別子とを含み、又は、第１の受信ユニットにより受信される第１のメッセージは、第１の端末の識別子と、第１の端末が音声サービスを実行することを示す識別子と、第１の端末の位置情報とを含む。
【００２１】
本発明に開示されている通信方法及び端末を用いれば、端末が音声サービスを実行するとき、ラウドスピーカを用いてオーディオを再生している近くのデバイスに起因する干渉を回避することが実現される。
【図面の簡単な説明】
【００２２】
【図１】本発明の実施形態１に係る通信方法のフローチャートである。
【００２３】
【図２】本発明の実施形態２に係る通信方法のフローチャートである。
【００２４】
【図３】本発明の実施形態３に係る通信方法の情報相互作用図である。
【００２５】
【図４】本発明の実施形態４に係る端末の概略図である。
【００２６】
【図５】本発明の実施形態４に係る端末の別の模式図である。
【００２７】
【図６】本発明の実施形態５に係る端末の概略図である。
【００２８】
【図７】本発明の実施形態５に係る端末の別の模式図である。
【発明を実施するための形態】
【００２９】
本発明の複数の実施形態の複数の目的、複数の技術的解決手段、及び複数の利点をより明確にするために、以下では、本発明の複数の実施形態に添付の複数の図面を参照して本発明の複数の実施形態の複数の技術的解決手段を明確に、かつ、完全に説明する。説明される複数の実施形態は、本発明の複数の実施形態の一部であり、全てではないことが明らかである。本発明の複数の実施形態に基づいて創造的努力なしに当業者により得られる全ての他の実施形態が、本発明の保護範囲内に含まれるべきである。
【００３０】
本発明の複数の実施形態において提供される通信方法は、以下のシナリオに適用され得る。端末が音声サービスの実行を開始するとき、例えば、その音声サービスは、音声電話及びビデオ電話であってよく、又は音声ショートメッセージ（例えば、ＷｅＣｈａｔ）、音声コマンド、及び同様のものであってよい。ラウドスピーカを用いてオーディオを再生している近くのデバイス（例えば、スマートテレビ、ポータブルコンピュータ、プレイヤ、又はコンピュータ）が、端末のユーザを干渉し得る。ここで、オーディオは、オーディオファイル又はオーディオストリームを含み、若しくは、ビデオファイル内のオーディオファイル又はビデオストリーム内のオーディオストリームを含み得る。加えて、上述のラウドスピーカは、端末に内蔵のラウドスピーカであってよく、若しくは、有線又は無線の方式で端末と接続されるラウドスピーカであってよい。実施形態１
【００３１】
図１は、本発明の実施形態１に係る通信方法のフローチャートである。当該方法は、第１の端末に適用される。第１の端末は、第３の端末と通信接続を維持する。第３の端末はさらに、少なくとも１つの第２の端末と通信接続を維持する。図１に示されているように、本発明のこの実施形態は、以下の複数の段階を具体的に含む。
【００３２】
段階１１０：第１の端末が音声サービスの実行を開始すると決定するとき、第３の端末に第１のメッセージを送信し、第１のメッセージは、第２の端末と第１の端末との間の位置関係が予め設定された条件を満たすと決定することを第３の端末に誘発するのに用いられ、かつ、第２の端末がラウドスピーカを用いてオーディオを再生している場合、第２の端末に第２のメッセージを送信し、第２のメッセージは、再生モードを調整することを第２の端末に誘発するのに用いられる。
【００３３】
任意的に、再生モードを調整することは、オーディオの再生を一時停止させること、ラウドスピーカをオフにすること、又はラウドスピーカの出力音量を下げることを含む。
【００３４】
具体的に、第１の端末が、第１の端末が音声サービスの実行を開始することを検知したとき、第１の端末は、第３の端末に第１のメッセージを送信し、第１のメッセージは、第１の端末の識別子と、第１の端末が音声サービスを実行することを示す識別子とを含む。任意的に、第１のメッセージは、第１の端末の識別子と、第１の端末が音声サービスを実行することを示す識別子と、第１の端末の位置情報とを含み得る。第１の端末の位置情報は、いくつかの補助技術（例えば、測位技術）を用いて第１の端末により得られてよい。
【００３５】
任意的に、段階１１０の前に、第１の端末により送信され、第１の端末の識別子を含む検証情報を、第３の端末により受信し、当該検証情報に従って、第１の端末の識別子に対応する第１の端末を第３の端末により検証する段階をさらに含む。本発明のこの実施形態における第３の端末は、第１の端末及び少なくとも１つの第２の端末と個別に通信接続を確立し得ることに留意すべきである。任意的に、第３の端末は、第１の端末及び少なくとも１つの第２の端末とローカルエリアネットワークを確立し得る。第１の端末及び少なくとも１つの第２の端末はまた、互いに通信し得る。第３の端末は、メッセージ、命令、又はシグナリングを送信することによって、対応する動作を実行させるよう、第１の端末及び少なくとも１つの第２の端末のうちの少なくとも１つを制御し得る。
【００３６】  第３の端末が第１の端末により送信された第１のメッセージを受信した後、第３の端末は、少なくとも１つの第２の端末と第１の端末との間の位置関係が予め設定された条件を満たすか否か、及び、少なくとも１つの第２の端末がラウドスピーカを用いてオーディオを再生しているか否かを決定する。少なくとも１つの第２の端末と第１の端末との間の位置関係が予め設定された条件を満たすか否かを決定することは、第１の端末と第２の端末との間の距離値が第１の予め設定された閾値以下か否かを決定することを含み、当該第１の予め設定された閾値は、事前に設定されてよく、要求に応じてユーザにより調整されてよく、又は、いくつかの情報（例えば、ユーザのフィードバック、又はソフトウェアバージョンのデータの更新）に応じて第３の端末により適応して調整されてよい。第１の端末の位置情報及び第２の端末の位置情報は、屋内測位技術を用いて直接取得され得る。例えば、第１の端末及び第２の端末の具体的な屋内位置がＢｌｕｅｔｏｏｔｈ（登録商標）、ＷｉＦｉ、又は別の通信技術を用いて取得され、これにより、第１の端末と第２の端末との間の距離値が予め設定された閾値以下か否かを決定する。代替的に、第１の端末の位置情報と第２の端末の位置情報とが別の補助技術（例えば、屋内マップ）を用いて取得され、これにより、第２の端末と第１の端末との間の位置関係が予め設定された条件を満たすか否かを決定する。第１の端末の位置情報を取得することができるいくつかの種類の補助技術が以下のように簡潔に説明される。
【００３７】
（１）キネクト技術（Ｋｉｎｅｃｔ  ｔｅｃｈｎｏｌｏｇｙ）を用いることによって、キネクトから離れる第１の端末の距離パラメータが決定されてよく、これにより、第１の端末の位置情報を取得する。
【００３８】
（２）スマートフロア技術が用いられ、すなわち、センサ又は別のデバイスが床の下に設置され、重量判断、光学判断、又は同様のものの方式で、第１の端末が配置される具体的な位置を取得し、第１の端末と第２の端末との間の距離値をさらに決定する。
【００３９】
（３）Ｍ２Ｍセンサが用いられ、すなわち、いくつかのセンサが屋内に配置され、第１の端末が現在配置されているエリアと第２の端末が現在配置されているエリアとを感知し得る。これにより、第１の端末と第２の端末との間の距離値を決定する。さらに、第１の端末及び第２の端末の位置情報を取得するための補助技術は他にもまだ多くあり、本明細書では詳細に列挙及び説明されない。
【００４０】
任意的に、第１の端末は、位置情報を定期的に取得し、取得した位置情報を第３の端末に送信する。例えば、第１の端末の位置が更新されたとき、測位技術を用いて得られた第１の端末の位置情報は変わる。従って、第１の端末は、第１の端末自身の位置情報を定期的に取得し、取得した位置情報を第３の端末に送信する。
【００４１】
第３の端末に取得した位置情報を第１の端末により送信することは、第３の端末に、第１の端末により取得した位置情報を第１の端末により直接送信することを含むことに留意すべきである。代替的に、現在取得した位置情報に示される第１の位置と、第３の端末に送信した位置情報に示される第２の位置との間の距離値が、第２の予め設定された閾値を超える場合、第１の端末は、第１の端末自身により取得した位置情報を第３の端末に送信する。第３の端末が、第１の端末により送信され、第１の端末の識別子を含む位置情報を受信した後、第１の端末の識別子に対応する第１の端末の位置情報は、上述の位置情報を用いて更新される。
【００４２】
第３の端末に取得した位置情報を第１の端末により送信することは、第３の端末に、第１の端末により取得した位置情報を第１の端末により直接送信することをさらに含み得る。第３の端末が、第１の端末により送信され、第１の端末の識別子を含む位置情報を受信した後、第１の端末の識別子に対応する第１の端末の位置情報は、上述の位置情報を直接用いて更新され、又は、現在受信した位置情報に示される第１の位置と、受信した位置情報に示される第２の位置との間の距離値が第２の予め設定された閾値を超える場合、第１の端末の識別子に対応する第１の端末の位置情報は、上述の位置情報を用いて更新される。
【００４３】
段階１２０：第１の端末が音声サービスの実行を停止すると決定するとき、第３の端末に第３のメッセージを送信し、第３のメッセージは、第２の端末に第４のメッセージを送信することを第３の端末に誘発するのに用いられ、第４のメッセージは、再生モードを調整前のものに復元することを第２の端末に誘発するのに用いられる。
【００４４】
任意的に、再生モードを調整前のものに復元することは、オーディオの再生を続けること、ラウドスピーカをオンにすること、又はラウドスピーカの出力音量を調整前の値に復元することを含む。
【００４５】
例えば、音声サービスの実行を停止すると決定するとき、第１の端末は、第３の端末に第３のメッセージを送信する。第１の端末により送信された第３のメッセージを受信するとき、第３の端末は、第２の端末に第４のメッセージを送信し、第４のメッセージは、再生モードを調整前のものに復元することを第２の端末に誘発するのに用いられる。例えば、第２の端末により再生モードを調整前のものに復元することは、オーディオの再生を続ける動作、ラウドスピーカをオンにする動作、又はラウドスピーカの出力音量を調整前の値に復元する動作、のうちの１つを実行することである。
【００４６】
従って、本発明のこの実施形態において提供される通信方法は、端末が音声サービスを実行するとき、ラウドスピーカを用いてオーディオを再生している近くのデバイスに起因する干渉を回避することを実現し、そのような、オーディオの再生を一時停止させる方式が、ユーザがオーディオを連続して楽しむことを可能にし得て、これにより、中断が回避される。実施形態２
【００４７】
図２は、本発明の実施形態２に係る通信方法のフローチャートである。当該方法は、第３の端末に適用される。第３の端末は、少なくとも１つの第１の端末と通信接続を維持する。第３の端末は、少なくとも１つの第２の端末と通信接続を維持する。図２に示されているように、本発明のこの実施形態は、以下の複数の段階を具体的に含む。
【００４８】
段階２１０：第３の端末は、第１の端末が音声サービスの実行を開始すると決定するときに送信された第１のメッセージを受信する。
【００４９】
任意的に、上述の第１のメッセージは、第１の端末の識別子と、第１の端末が音声サービスを実行することを示す識別子とを含み、又は、上述の第１のメッセージは、第１の端末の識別子と、第１の端末が音声サービスを実行することを示す識別子と、第１の端末の位置情報とを含む。第１の端末の位置情報は、いくつかの補助技術（例えば、測位技術）を用いて第１の端末により得られてよい。位置情報を取得する工程は、段階２１０の前又は段階２１０の後に発生する。すなわち、以下の通りである。
【００５０】
段階２１０の前又は段階２１０の後において、本発明のこの実施形態は、第３の端末に第１の端末の識別子を含む検証情報を第１の端末により送信し、当該検証情報に従って、第１の端末の識別子に対応する第１の端末を第３の端末により検証する段階をさらに含む。本発明のこの実施形態における第３の端末は、第１の端末及び少なくとも１つの第２の端末と個別に通信接続を確立し得ることに留意すべきである。任意的に、第３の端末は、第１の端末及び少なくとも１つの第２の端末とローカルエリアネットワークを確立し得る。第１の端末及び少なくとも１つの第２の端末はまた、互いに通信し得る。第３の端末は、メッセージ、命令又はシグナリングを送信することによって、対応する動作を実行させるよう、第１の端末及び少なくとも１つの第２の端末のうちの少なくとも１つを制御し得る。
【００５１】
任意的に、第３の端末は、第１の端末により送信される位置情報を受信し、前に保存した、第１の端末により送信された位置情報を更新し、及び／又は、第３の端末は、第２の端末により送信される位置情報を受信し、前に保存した、第２の端末により送信された位置情報を更新する。例えば、第１の端末は、第１の端末自身の位置情報を定期的に取得し、第１の端末の識別子を含む位置情報を第３の端末に送信し、第３の端末は、前に保存した、第１の端末により送信された位置情報を更新する。代替的に、第３の端末は、第１の端末の位置情報を定期的に取得し、その取得した第１の端末の位置情報に従って、前に保存した、第１の端末により送信された位置情報を更新する。代替的に、第１の端末の位置情報に示される第１の位置と、第３の端末に送信した第１の端末の位置情報に示される第２の位置との間の距離値が第２の予め設定された閾値を超える場合、第１の端末は、第１の端末の最新の位置情報を第３の端末に送信する。
【００５２】
段階２２０：第３の端末は、第２の端末と第１の端末との間の位置関係が予め設定された条件を満たすと決定し、第２の端末がラウドスピーカを用いてオーディオを再生している場合、第２の端末に第２のメッセージを送信し、第２のメッセージは、再生モードを調整することを第２の端末に誘発するのに用いられる。
【００５３】
例えば、第２の端末により再生モードを調整することは、オーディオの再生を一時停止させる動作、ラウドスピーカをオフにする動作、又はラウドスピーカの出力音量を下げる動作、のうちの１つを実行することである。
【００５４】
段階２３０：第３の端末は、第１の端末が音声サービスの実行を停止すると決定するときに送信された第３のメッセージを受信する。
【００５５】
段階２４０：第３の端末は、第２の端末に第４のメッセージを送信し、第４のメッセージは、再生モードを調整前のものに復元することを第２の端末に誘発するのに用いられる。
【００５６】
例えば、第２の端末により再生モードを調整前のものに復元することは、オーディオの再生を続ける動作、ラウドスピーカをオンにする動作、又はラウドスピーカの出力音量を調整前の値に復元する動作、のうちの１つを実行することである。
【００５７】
従って、本発明のこの実施形態において提供される通信方法を用いれば、端末が音声サービスを実行するとき、ラウドスピーカを用いてオーディオを再生している近くのデバイスに起因する干渉を回避することが実現され、そのような、オーディオの再生を一時停止させる方式が、ユーザがオーディオを連続して楽しむことを可能にし得て、これにより、中断が回避される。実施形態３
【００５８】
図３は、本発明の実施形態３に係る通信方法の情報相互作用図である。図面に示されているように、本発明のこの実施形態は、以下の複数の段階を具体的に備える。
【００５９】
段階３０１：第１の端末が、第１の端末の識別子を含む検証情報を第３の端末に送信する。
【００６０】
任意的に、段階３０１は、第１の端末が、ユーザが音声サービスの実行を開始するか否かを検知し続け、ユーザが音声サービスの実行を開始すると検知したとき、第１の端末は、第１の端末の識別子を含む検証情報を第３の端末に送信するという段階にさらに置き換えられてよい。段階３０１は任意的な段階であることに留意すべきである。
【００６１】
段階３０２：第３の端末は、第１の端末の識別子に対応する第１の端末と通信接続を確立又は維持し、第３の端末は、少なくとも１つの第２の端末と通信接続を確立又は維持する。
【００６２】
段階３０３：第１の端末は、いくつかの補助技術を用いて第１の端末自身の位置情報を取得する。
【００６３】
段階３０４：第１の端末が音声サービスの実行を開始すると決定するとき、第３の端末に第１のメッセージを送信し、第１のメッセージは、第１の端末の識別子と、第１の端末が音声サービスを実行することを示す識別子と、第１の端末の位置情報とを含む。
【００６４】
段階３０５：第３の端末は、受信した第１のメッセージに従って、第２の端末と第１の端末との間の位置関係が予め設定された条件を満たし、かつ、第２の端末がラウドスピーカを用いてオーディオを再生していると決定する。予め設定された条件は、第１の端末と第２の端末との間の距離値が第１の予め設定された閾値以下か否かを含み、第１の予め設定された値は、事前に設定されてよく、要求に応じてユーザにより調整されてよく、又はいくつかの情報（例えば、ユーザのフィードバック、又はソフトウェアバージョンのデータの更新）に応じて第３の端末により適応して調整されてよい。
【００６５】
段階３０６：第３の端末は、第２の端末に第２のメッセージを送信する。
【００６６】
段階３０７：第２の端末は、受信した第２のメッセージに従って再生モードを調整する。
【００６７】
段階３０８：第１の端末は、位置情報を定期的に取得し、取得した位置情報を第３の端末に送信する。
【００６８】
段階３０９：第３の端末は、現在受信した位置情報に従って、前に保存した、第１の端末により送信された位置情報を更新する。
【００６９】
段階３１０：第１の端末が音声サービスの実行を停止すると決定するとき、第３の端末に第３のメッセージを送信する。
【００７０】
段階３１１：第３の端末は、受信した第３のメッセージに従って、第２の端末に第４のメッセージを送信する。
【００７１】
段階３１２：第２の端末は、第４のメッセージを受信した後、再生モードを調整前のものに復元する。
【００７２】
従って、本発明のこの実施形態において提供される通信方法を用いれば、端末が音声サービスを実行するとき、ラウドスピーカを用いてオーディオを再生している近くのデバイスに起因する干渉を回避することが実現される。実施形態４
【００７３】
図４は、本発明の実施形態４に係る端末の概略図である。端末は、本発明の実施形態１及び実施形態３において提供される複数の通信方法を実行するよう構成される。図４に示されているように、端末は、第３の端末と通信接続を維持し、第３の端末はさらに、少なくとも１つの第２の端末と通信接続を維持する。端末は、決定ユニット４０１と、第１の送信ユニット４０２と、第２の送信ユニット４０３とを備える。
【００７４】
決定ユニット４０１は、端末が音声サービスを実行するか否かを決定するよう構成される。
【００７５】
第１の送信ユニット４０２は、決定ユニット４０１が、端末が音声サービスの実行を開始すると決定するとき、第３の端末に第１のメッセージを送信するよう構成され、第１のメッセージは、第２の端末と端末との間の位置関係が予め設定された条件を満たすと決定することを第３の端末に誘発するのに用いられ、かつ、第２の端末がラウドスピーカを用いてオーディオを再生している場合、第２の端末に第２のメッセージを送信し、第２のメッセージは、再生モードを調整することを第２の端末に誘発するのに用いられる。
【００７６】
第２の送信ユニット４０３は、決定ユニット４０１が、端末が音声サービスの実行を停止すると決定するとき、第３の端末に第３のメッセージを送信するよう構成され、第３のメッセージは、第２の端末に第４のメッセージを送信することを第３の端末に誘発するのに用いられ、第４のメッセージは、再生モードを調整前のものに復元することを第２の端末に誘発するのに用いられる。
【００７７】
任意的に、再生モードを調整することは、オーディオの再生を一時停止させること、ラウドスピーカをオフにすること、又はラウドスピーカの出力音量を下げることを含み、対応して、再生モードを調整前のものに復元することは、オーディオの再生を続けること、ラウドスピーカをオンにすること、又はラウドスピーカの出力音量を調整前の値に復元することを含む。
【００７８】
任意的に、端末は、位置情報を定期的に取得するよう構成される取得ユニットと、取得ユニットにより取得した位置情報を第３の端末に送信するよう構成される第３の送信ユニットとをさらに備える。
【００７９】
任意的に、第１の送信ユニット４０２により送信される第１のメッセージは、端末の識別子と、端末が音声サービスを実行することを示す識別子とを含む。代替的に、第１の送信ユニット４０２により送信される第１のメッセージは、端末の識別子と、端末が音声サービスを実行することを示す識別子と、端末の位置情報とを含む。
【００８０】
加えて、本発明のこの実施形態において提供される端末について、複数の以下の実装方式が、本発明の実施形態１及び実施形態３における複数の通信方法を実行するのにさらに用いられ得る。図５に示されているように、端末は、第３の端末と通信接続を維持し、第３の端末はさらに、少なくとも１つの第２の端末と通信接続を維持する。端末は、プロセッサ５０１と送信機５０２とを備える。
【００８１】
プロセッサ５０１は、端末が音声サービスを実行するか否かを決定するよう構成される。
【００８２】
送信機５０２は、プロセッサ５０１が、端末が音声サービスの実行を開始すると決定するとき、第３の端末に第１のメッセージを送信するよう構成され、第１のメッセージは、第２の端末と端末との間の位置関係が予め設定された条件を満たすと決定することを第３の端末に誘発するのに用いられ、かつ、第２の端末がラウドスピーカを用いてオーディオを再生している場合、第２の端末に第２のメッセージを送信し、第２のメッセージは、再生モードを調整することを第２の端末に誘発するのに用いられる。
【００８３】
送信機５０２は、プロセッサ５０１が、端末が音声サービスの実行を停止すると決定するとき、第３の端末に第３のメッセージを送信するようさらに構成され、第３のメッセージは、第２の端末に第４のメッセージを送信することを第３の端末に誘発するのに用いられ、第４のメッセージは、再生モードを調整前のものに復元することを第２の端末に誘発するのに用いられる。
【００８４】
任意的に、再生モードを調整することは、オーディオの再生を一時停止させること、ラウドスピーカをオフにすること、又はラウドスピーカの出力音量を下げることを含み、対応して、任意的に、再生モードを調整前のものに復元することは、オーディオの再生を続けること、ラウドスピーカをオンにすること、又はラウドスピーカの出力音量を調整前の値に復元することを含む。
【００８５】
任意的に、送信機５０２により送信される第１のメッセージは、端末の識別子と、端末が音声サービスを実行することを示す識別子とを含み、又は、送信機５０２により送信される第１のメッセージは、端末の識別子と、端末が音声サービスを実行することを示す識別子と、端末の位置情報とを含む。
【００８６】
プロセッサ５０１は、端末の位置情報を定期的に取得するようさらに構成される。
【００８７】
送信機５０２は、プロセッサ５０１により取得した端末の位置情報を第３の端末に送信するようさらに構成される。
【００８８】
本発明のこの実施形態において提供される端末は、実施形態１及び実施形態３の第１の端末とは同等のものである。端末により実行される複数の具体的な詳細については、実施形態１及び実施形態３に参照されたい。複数の詳細はここでは再び説明されない。
【００８９】
従って、本発明のこの実施形態において提供される端末によれば、端末が音声サービスを実行するとき、ラウドスピーカを用いてオーディオを再生している近くのデバイスに起因する干渉を回避することが実現される。実施形態５
【００９０】
図６は、本発明の実施形態５に係る端末の概略図である。当該端末は、本発明の実施形態２及び実施形態３において提供される通信方法を実行するよう構成される。図６に示されているように、端末は、少なくとも１つの第１の端末と通信接続を維持し、端末は、少なくとも１つの第２の端末と通信接続を維持する。端末は、第１の受信ユニット６０１と、決定ユニット６０２と、第１の送信ユニット６０３と、第２の受信ユニット６０４と、第２の送信ユニット６０５とを備える。
【００９１】
第１の受信ユニット６０１は、第１の端末が音声サービスの実行を開始すると決定するときに送信された第１のメッセージを受信するよう構成される。
【００９２】
決定ユニット６０２は、第１の受信ユニット６０１が第１のメッセージを受信するとき又は受信した後に第２の端末と第１の端末との間の位置関係が予め設定された条件を満たすか否か、及び、第２の端末がラウドスピーカを用いてオーディオを再生しているか否かを決定するよう構成される。
【００９３】
第１の送信ユニット６０３は、決定ユニット６０２が、第２の端末と第１の端末との間の位置関係が予め設定された条件を満たし、かつ、第２の端末がラウドスピーカを用いてオーディオを再生していると決定するとき、第２の端末に第２のメッセージを送信するよう構成され、第２のメッセージは、再生モードを調整することを第２の端末に誘発するのに用いられる。
【００９４】
第２の受信ユニット６０４は、第１の端末が音声サービスの実行を停止すると決定するときに送信された第３のメッセージを受信するよう構成される。
【００９５】
第２の送信ユニット６０５は、第２の端末に第４のメッセージを送信するよう構成され、第４のメッセージは、再生モードを調整前のものに復元することを第２の端末に誘発するのに用いられる。
【００９６】
任意的に、再生モードを調整することは、オーディオの再生を一時停止させること、ラウドスピーカをオフにすること、又はラウドスピーカの出力音量を下げることを含む。
【００９７】
対応して、再生モードを調整前のものに復元することは、オーディオの再生を続けること、ラウドスピーカをオンにすること、又はラウドスピーカの出力音量を調整前の値に復元することを含む。
【００９８】
任意的に、端末は、第１の端末により送信される位置情報を受信し、前に保存した、第１の端末により送信された位置情報を更新するよう構成される第１の処理ユニット、及び、第２の端末により送信される位置情報を受信し、前に保存した、第２の端末により送信された位置情報を更新するよう構成される第２の処理ユニット、のうちの１つをさらに備える。
【００９９】  任意的に、第１の受信ユニット６０１により受信された第１のメッセージは、第１の端末の識別子と、第１の端末が音声サービスを実行することを示す識別子とを含む。代替的に、第１の受信ユニット６０１により受信された第１のメッセージは、第１の端末の識別子と、第１の端末が音声サービスを実行することを示す識別子と、第１の端末の位置情報とを含む。
【０１００】
加えて、本発明のこの実施形態において提供される端末について、複数の以下の実装方式が、本発明の実施形態２及び実施形態３における複数の通信方法を実行するのにさらに用いられ得る。図７に示されているように、端末は、少なくとも１つの第１の端末と通信接続を維持し、端末は、少なくとも１つの第２の端末と通信接続を維持する。端末は、受信機７０１と、プロセッサ７０２と、送信機７０３とを備える。
【０１０１】
受信機７０１は、第１の端末が音声サービスの実行を開始すると決定するときに送信された第１のメッセージを受信するよう構成される。
【０１０２】
プロセッサ７０２は、受信機７０１が第１のメッセージを受信するとき又は受信した後に第２の端末と第１の端末との間の位置関係が予め設定された条件を満たすか否か、及び、第２の端末がラウドスピーカを用いてオーディオを再生しているか否かを決定するよう構成される。
【０１０３】
送信機７０３は、プロセッサ７０２が第２の端末と第１の端末との間の位置関係が予め設定された条件を満たし、かつ、第２の端末がラウドスピーカを用いてオーディオを再生していると決定するとき、第２の端末に第２のメッセージを送信するよう構成され、第２のメッセージは、再生モードを調整することを第２の端末に誘発するのに用いられる。
【０１０４】
受信機７０１は、第１の端末が音声サービスの実行を停止すると決定するときに送信された第３のメッセージを受信するようさらに構成される。
【０１０５】
送信機７０３は、第２の端末に第４のメッセージを送信するようさらに構成され、第４のメッセージは、再生モードを調整前のものに復元することを第２の端末に誘発するのに用いられる。
【０１０６】
任意的に、再生モードを調整することは、オーディオの再生を一時停止させること、ラウドスピーカをオフにすること、又はラウドスピーカの出力音量を下げることを含む。
【０１０７】
対応して、再生モードを調整前のものに復元することは、オーディオの再生を続けること、ラウドスピーカをオンにすること、又はラウドスピーカの出力音量を調整前の値に復元することを含む。
【０１０８】
任意的に、受信機７０１は、第１の端末により送信される位置情報を受信するようさらに構成される。
【０１０９】
任意的に、プロセッサ７０２は、第１の端末により送信され、受信機７０１により受信された位置情報に従って、前に保存した、第１の端末により送信された位置情報を更新するようさらに構成される。
【０１１０】
任意的に、受信機７０１は、第２の端末により送信される位置情報を受信するようさらに構成される。
【０１１１】
任意的に、プロセッサ７０２は、第２の端末により送信され、受信機７０１により受信された位置情報に従って、前に保存した、第２の端末により送信された位置情報を更新するようさらに構成される。
【０１１２】
任意的に、受信機７０１により受信される第１のメッセージは、第１の端末の識別子と、第１の端末が音声サービスを実行することを示す識別子とを含む。代替的に、受信機７０１により受信される第１のメッセージは、第１の端末の識別子と、第１の端末が音声サービスを実行することを示す識別子と、第１の端末の位置情報とを含む。
【０１１３】
本発明のこの実施形態において提供される端末は、実施形態２及び実施形態３の第３の端末とは同等のものである。端末により実行される複数の具体的な詳細については、実施形態２及び実施形態３に参照されたい。複数の詳細は、ここでは再び説明されない。
【０１１４】
従って、本発明のこの実施形態において提供される端末によれば、端末が音声サービスを実行するとき、ラウドスピーカを用いてオーディオを再生している近くのデバイスに起因する干渉を回避することが実現される。
【０１１５】
当業者であれば、本明細書に開示されている複数の実施形態において説明されている複数の例との組み合わせにより、複数のユニット及びアルゴリズム段階が、電子ハードウェア、コンピュータソフトウェア、又はそれらの組み合わせにより実装され得ることをさらに理解し得る。ハードウェアとソフトウェアとの間の互換性を明確に説明するために、上述は、複数の機能に応じてそれぞれの例の複数の構成及び複数の段階を概して説明している。複数の機能がハードウェア又はソフトウェアにより実行されるか否かは、複数の技術的解決手段の特定の応用及び設計制約条件に依存する。当業者は、各特定の応用のために、説明された複数の機能を実行すべく複数の異なる方法を用い得るが、その実行が本発明の範囲を超えるものとしてみなされるべきではない。
【０１１６】
本明細書にて開示される複数の実施形態において説明された複数の方法の複数の段階又はアルゴリズムは、ハードウェア、プロセッサにより実行されるソフトウェアモジュール、又はそれらの組み合わせにより実行され得る。ソフトウェアモジュールは、ランダムアクセスメモリ（ＲＡＭ）、メモリ、リードオンリメモリ（ＲＯＭ）、電気的プログラマブルＲＯＭ、電気的消去可能プログラマブルＲＯＭ、レジスタ、ハードディスク、リムーバブルディスク、ＣＤ−ＲＯＭ、又は任意の他の形態の当技術分野において既知の記憶媒体に属し得る。
【０１１７】
上述の複数の具体的な実装方式において、本発明の目的、複数の技術的解決手段、及び複数の利点がさらに詳細に説明される。上述の説明は単に本発明の複数の具体的な実装方式であるが、本発明の保護範囲を制限することを意図されないことが理解されるべきである。本発明の主旨及び本質から逸脱せずに作成されるいかなる修正、同等の置き換え、又は改善が本発明の保護範囲内に含まれるものとすべきである。
【図１】
0006412149.tif 000002
【図２】
0006412149.tif 000003
【図３】
0006412149.tif 000004
【図４】
0006412149.tif 000005
【図５】
0006412149.tif 000006
【図６】
0006412149.tif 000007
【図７】
0006412149.tif 000008